(57)【特許請求の範囲】
【請求項１】
屋根上設置物取り付け金具は設置物取り付け部分と固定部分とを有し、
設置物取り付け部分は、
貫通孔を設けた設置物取り付け面と、
設置物取り付け面の前部分から下方に伸びる前脚部と、
設置物取り付け面の後ろ部分から下方に伸びる後脚部とを有し、
固定部分は、
下地に止着具で固定するための固定面を有しており、
該固定面の前部分には上方に伸びる立面が形成されており、
固定部分の立面に設置物取り付け部分の前脚部が固定されたときに、
設置物取り付け面と固定面とが向き合わせられており、
固定面が設置物取り付け面の下方に位置しており、
設置物取り付け面の貫通孔が止着具のほぼ真上に位置しており、
設置物取り付け部分の後脚部は固定部分の固定面上に位置している
屋根上設置物取り付け金具。
【発明の詳細な説明】
【技術分野】
【０００１】
本発明は、太陽光発電パネル等の屋根上設置物を、屋根上に取り付ける際に用いる屋根上設置物取り付け金具に関するものである。
【背景技術】
【０００２】
従来の技術について、図２２〜図２５に基づき説明する。
特開平１０−２４５９５２号公報（以下、特許文献１と称す）に開示されている屋根上設置物取り付け金具１は、公報に記載されている通り、『太陽光発電パネルの取付金具の変形を小さくできる太陽光発電パネルの下部に固定される架台の取付金具』を提供することを、課題の一つとしている。そのための手段として、『吹き上げや吹き下しの風による太陽光発電パネルの取付金具の変形を小さくするためには、太陽光発電パネルの下部に固定される架台の固定位置が和瓦の端縁から可及的に短い距離となるように太陽光発電パネルの架台取付金具を形成すればよく』と記載されている。
『架台の固定位置が和瓦の端縁から可及的に短い距離となるように』とあるが、図２２、図２３に示すように、固定面２１を下地に固定するための止着具Ｓの位置は、架台固定部Ｇの位置より、矢印Ｋで示した分、右側に位置している。つまり、屋根上設置物取り付け金具にその上の物の荷重がかかる位置と、屋根上設置物取り付け金具を下地に固定する位置の間には、矢印Ｋで示した幅分の差が生じる。
このように、止着具Ｓの固定位置と架台固定部Ｇの位置がずれていると、ビスや釘等の引き抜き荷重が大きくなってしまい、特許文献１の目的効果を十分に達成することができない。固定面２１を下地に固定するための止着具Ｓのほぼ真上に架台固定部Ｇが位置するように構成することが望ましい。
【０００３】
これに対し、特開昭５９−１１４３６６号公報（以下、特許文献２と称す）に開示されている屋根上設置物取り付け金具１がある。この屋根上設置物取り付け金具１は、図２４に示すとおり、固定面２１から立ち上がる脚部３５が形成されており、脚部３５の上には略コの字形の取り付け部Ｊが形成されている。取り付け部Ｊの上面には、連結金具Ｒが固定用止着具Ｂで固定されている。
屋根上設置物取り付け金具１がこのような構成であるため、これを下地に固定して連結金具Ｒを介して屋根上設置物を取り付けると、固定面２１を下地に固定するための止着具Ｓのほぼ真上に、連結金具Ｒの固定用止着具Ｂが位置する。
この場合、負圧がかかった際のビスや釘等の引き抜き荷重はきわめて小さくなるので、前述の特許文献１に開示されている屋根上設置物取り付け金具よりも、特許文献２に開示されている屋根上設置物取り付け金具の方が、特許文献１に示されている課題をよりよく解決しているといえる。
【０００４】
【特許文献１】特開平１０−２４５９５２号公報
【特許文献２】特開昭５９−１１４３６６号公報
【発明の開示】
【発明が解決しようとする課題】
【０００５】
とはいえ、図２４に示した屋根上設置物取り付け金具１に正圧がかかった場合、図２５に示すように、屋根上設置物取り付け金具１の脚部３５が取り付け部Ｊの片側にしか無いため、正圧によって取り付け部Ｊが変形してしまうという課題があった（図２５に丸印にて囲んだ部分参照）。
それで、解決しようとする課題は、負圧に抵抗する力が強く、同時に正圧に対しても強い屋根上設置物取り付け金具を提供することである。
【課題を解決するための手段】
【０００６】
本発明にかかる屋根上設置物取り付け金具は、設置物取り付け部分と固定部分とを有している。
設置物取り付け部分は、屋根上設置物を取り付けるための固定用止着具を取り付ける貫通孔が設けられた設置物取り付け面と、設置物取り付け面の前部分から下方に伸びる前脚部と、設置物取り付け面の後ろ部分から下方に伸びる後脚部とを有している。
固定部分は、下地に止着具で固定するための固定面を有しており、固定面の前部分には上方に伸びる立面が形成されている。
固定部分の立面に設置物取り付け部分の前脚部が固定されたときに、設置物取り付け面と固定面とが向き合わせられ、固定面が設置物取り付け面の下方に位置し、設置物取り付け面の貫通孔が止着具のほぼ真上に位置し、設置物取り付け部分の後脚部は固定部分の固定面上に位置している屋根上設置物取り付け金具である。  この屋根上設置物取り付け金具を屋根に設置する場合、まず、設置されている金属製屋根瓦の棟側縁に、固定部分を被せ、固定面に止着具を打ち込んで桟木等の下地に固定する。次いで、その棟側の段に位置する金属製屋根瓦を設置する。固定部分の上に金属製屋根瓦を設置する際、固定部分の立面は、金属製屋根瓦の軒側の縁よりも前方にでている。
このように桟木等の下地に固定部分を止着具で固定した後、固定部分に設置物取り付け部分を取り付ける。固定部分の固定面が、設置物取り付け部分の設置物取り付け面の下方に、設置物取り付け面と向かい合って位置するよう、設置物取り付け面の貫通孔が止着具のほぼ真上に位置するよう、設置物取り付け部分の前脚部を固定部分の立面に添わせて固定する。後脚部は固定部分の固定面上に位置する。
後脚部が固定面上に位置するという点について説明すると、この後脚部は屋根上設置物を取り付ける前から、金属製屋根瓦を介して固定面上に載っている場合もあれば、屋根上設置物を取り付ける前は、固定面と後脚部の間に隙間が存在する状態で後脚部が固定面上に位置しており、後脚部が固定面に載っていない場合もある。後者の場合、設置物取り付け面に屋根上設置物を取り付けたとき、その荷重によって後脚部が金属製屋根瓦を介して固定面に載るのである。
屋根上に取り付けられた屋根上設置物取り付け金具の設置物取り付け面に、設置物を載せて、貫通孔に取り付けた固定用止着具を用いて取り付けていくのである。
【発明の効果】
【０００７】
本発明にかかる屋根上設置物取り付け金具は、上記の通りの構成のため、屋根上設置物取り付け金具を屋根に設置したとき、固定面が設置物取り付け面の下方に位置し、設置物取り付け面と向かい合っている。このため、固定面を桟木等の下地に固定するための止着具のほぼ真上に、屋根上設置物を取り付けるための固定具を貫通孔を用いて取り付けることができる。
つまり、屋根上設置物取り付け金具に屋根上設置物の荷重がかかる位置が、屋根上設置物取り付け金具を下地に止着具で固定する位置の、ほぼ真上に来るように設定することができる。こうして負圧がかかった際のビスや釘等の引き抜き荷重をきわめて小さくすることができる。
また、後脚部が固定面上に位置しているため、設置物取り付け面に屋根上設置物を取り付けたとき後脚部が固定面に載る。そして、設置物取り付け部分の前脚部が固定部分の立面に固定されているので、設置物取り付け面にかかる屋根上設置物の荷重は、前脚部と後脚部とによって固定部分に伝わり、固定部分で受けることができる。このように前脚部と後脚部との二箇所で屋根上設置物の荷重を固定部分に伝える構成なので、正圧に対して強くなる。
そして、固定部分の固定面は下地に止着具で固定されているので、屋根上設置物の荷重を下地でしっかり受け止めることができる。
以上述べたとおり、本発明にかかる屋根上設置物取り付け金具は、負圧がかかった際のビスや釘等の引き抜き荷重を小さくする構成でありながら、同時に、正圧に対して強くなるものである。
【実施例１】
【０００８】
本発明第一実施例について、図１〜図７に基づいて説明する。この実施例は、本発明にかかる屋根上設置物取り付け金具を、金属製屋根瓦に使用する場合の一実施例である。
図１は屋根上設置物取り付け金具１の分解図であり、図２は屋根上設置物取り付け金具１の斜視図、図３〜図７は使用状態の説明図である。（一般的に用いられる金属製屋根瓦７は、厚さが0.4mm位であるが、金属製屋根瓦７の断面がわかりやすいように、図７においては実際の金属製屋根瓦７の厚さよりも厚い比率で図示した。）
【０００９】
図１に見られるように、本実施例にかかる屋根上設置物取り付け金具１は、設置物取り付け部分３と固定部分２との二部材を有している。
【００１０】
設置物取り付け部分３は、設置物取り付け面３１の前部分の一端から下方に伸びる前脚部３２と、設置物取り付け面３１の他端である後ろ部分の一端から下方に伸びる後脚部３４とを有している。
前脚部３２には、前脚部３２の下端が折り曲げられて設置物取り付け面３１よりも前方に延びる前補助面３２Ａが形成されている。前補助面３２Ａは、設置物取り付け部分３ を屋根に取り付けたときに、金属製屋根瓦７の表面に載る面であり、金属製屋根瓦７の表面に傷を付けにくくするために、金属製屋根瓦７の表面に沿うようにやや湾曲した面で形成されている。このように前補助面３２Ａを設けると、前脚部３２から伝わってくる屋根上設置物の荷重を、前補助面３２Ａと後述する固定面２１とで分散して受け止めることができる。
また、後脚部３４にも、後脚部３４の下端が折り曲げられて設置物取り付け面３１よりも後方に延びる後補助面３４Ａが形成されている。後補助面３４Ａは、設置物取り付け部分３を屋根に取り付けたときに金属製屋根瓦７の表面に載る面であり、金属製屋根瓦７ の表面に傷を付けにくくするために、金属製屋根瓦７の表面に沿うように、やや湾曲した面で形成されている。
屋根上設置物取り付け金具１を屋根に設置したときに、前脚部３２は金属製屋根瓦７ に載る位置に、後脚部３４は金属製屋根瓦７を介して、後述する固定部分２の固定面２ １に載る位置に、それぞれ形成されている。
設置物取り付け面３１には、設置物Ｅを屋根上設置物取り付け金具１に固定するための固定用止着具Ｂを取り付ける貫通孔Ｈが、前脚部３２には固定部分２の締め付け部２３を通すための連結孔Ｔが、それぞれ設けられている。
【００１１】
固定部分２は、固定面２１と立面２２と締め付け部２３とを有している。
固定面２１は、屋根上設置物取り付け金具１を桟木６等の下地に止着具で固定するための面である。本実施例は、金属製屋根瓦７に使用する場合の実施例であるため、固定面２１の一部が桟木６に被さる形状（断面が下方に開口した略コの字形）になっており、桟木６に固定する止着具Ｓのための固定孔Ｕが設けられている。
固定面２１の前部分には上方に伸びる立面２２が形成されているが、本実施例においては、前部分の端部から上方に伸びる立面２２が形成されている。立面２２にはネジが切られている棒状の締め付け部２３が取り付けられており、前述の設置物取り付け部分３と組み合わせたときに、設置物取り付け部分３の前脚部３２の連結孔Ｔに通る位置に設けられている。
【００１２】
このように構成された固定部分２と設置物取り付け部分３とを組み合わせることで、図２のような屋根上設置物取り付け金具１となる。
固定部分２の固定面２１が、設置物取り付け部分３の設置物取り付け面３１の下方に、設置物取り付け面３１と向かい合って位置するよう、設置物取り付け部分３の前脚部３ ２の連結孔Ｔに締め付け部２３を通しながら、設置物取り付け部分３の前脚部３２を固定部分２の立面２２に添わせ、ナット等の締め付け具４を締め付け部２３に通して締め付けることにより、固定部分２の立面２２に設置物取り付け部分３の前脚部３２が連結されて固定される。
【００１３】
つぎに、図３〜図７に基づいて、下地材５に防水紙Ｄを敷き、その上に縦桟木Ａと桟木６を取り付けた屋根下地に、バックアップ材Ｃを配置して金属製屋根瓦７を葺いていく屋根構造に、本実施例の屋根上設置物取り付け金具１を取り付ける様子を説明する。
図３に見られるように、金属製屋根瓦７の棟側縁に固定部分２の固定面２１を被せる。固定面２１は下地の一部である桟木６上に位置し、固定面２１に止着具Ｓが打ち込まれることにより桟木６に固定される。
その後、図４に見られるように、その棟側のバックアップ材Ｃと金属製屋根瓦７とを取り付けていく。固定部分２の上に金属製屋根瓦７を設置する際、固定部分２の立面２２は、金属製屋根瓦７の軒側の縁よりも前方にでている。
このように固定された固定部分２に、図５及び図６に見られるように、設置物取り付け部分３を取り付ける。固定部分２の固定面２１が、設置物取り付け部分３の設置物取り付け面３１の下方に、設置物取り付け面３１と向かい合って位置するよう、設置物取り付け部分３の前脚部３２の連結孔Ｔに締め付け部２３を通しながら、設置物取り付け部分３の前脚部３２を固定部分２の立面２２に添わせ、ナット等の締め付け具４を締め付け部２３に通して締め付けることにより、固定部分２の立面２２と設置物取り付け部分３の前脚部３２とが連結されて固定される。
このとき、後脚部３４は固定部分２の固定面２１上に位置するが、図６に見られるように、設置物Ｅを取り付ける前は、固定面２１と後脚部３４の間に隙間が存在している。このような状態で後脚部３４が固定面２１上に位置しており、後脚部３４が固定面２１に載っていない場合もある。
このようにして屋根上に取り付けられた屋根上設置物取り付け金具１に、設置物Ｅを取り付けていく。その際、図７に見られるように、設置物Ｅを設置物取り付け面３１に載せ、設置物取り付け面３１に設けられている貫通孔Ｈに固定用止着具Ｂを通して設置物Ｅを取り付ける。設置物取り付け面３１に設置物Ｅを取り付けたとき、その荷重によって後脚部３４が金属製屋根瓦７を介して固定面２１に載る。
【００１４】
前述の通り、本実施例は、固定部分２の固定面２１が、設置物取り付け部分３の設置物取り付け面３１の下方に、設置物取り付け面３１と向かい合っているため、固定面２１を桟木に固定するための止着具Ｓのほぼ真上に、設置物Ｅを取り付けるための固定用止着具Ｂを貫通孔Ｈを用いて取り付けることができる。
このため、屋根上設置物取り付け金具１に設置物Ｅの荷重がかかる位置が、屋根上設置物取り付け金具１を下地に止着具で固定する位置のほぼ真上に来るように設定することができる。こうして負圧がかかった際のビスや釘等の引き抜き荷重をきわめて小さくすることができるのである。
【００１５】
また、後脚部３４が固定面２１上に位置しているため、設置物取り付け面３１に設置物Ｅを取り付けたとき、その荷重によって後脚部３４が金属製屋根瓦７を介して固定面２１に載る。そして、設置物取り付け部分３の前脚部３２が固定部分２の立面２２に固定されているので、設置物取り付け面３１にかかる設置物Ｅの荷重は、前脚部３２と後脚部３４とによって固定部分２に伝わり、固定部分２で受けることができる。このように前脚部３２と後脚部３４との二箇所で設置物Ｅの荷重を固定部分２に伝える構成である。
そして、固定部分２の固定面２１は、下地の一部である桟木６に止着具で固定されているので、設置物Ｅの荷重を下地でしっかり受け止めることができる。
【００１６】
さらにこの実施例においては、前脚部３２の下端から設置物取り付け面３１よりも前方に延びる前補助面３２Ａが、形成されている。前補助面３２Ａは、設置物取り付け部分３を屋根に取り付けたときに、金属製屋根瓦７の表面に載る面である。このように前補助面３２Ａを設けると、前脚部３２から伝わってくる屋根上設置物の荷重を、前補助面３２Ａと固定面２１とで分散して受け止めることができる。
【００１７】
このように、本実施例にかかる屋根上設置物取り付け金具は、負圧がかかった際のビスや釘等の引き抜き荷重を小さくする構成でありながら、同時に、正圧に対して強くなるものである。
【実施例２】
【００１８】
本発明の第二実施例について、図８、図９に図示する。
図８、図９に見られる通り、前述の第一実施例の前補助面３２Ａを取り除き、前脚部３２を短くしたもので、他の構成は、第一実施例とまったく同じである。（前補助面３２Ａを除き、前脚部３２を短くした以外は第一実施例と同じ構成であるため、構成の説明を繰り返し記載することは省く。）
前脚部３２が固定部分２の立面２２に固定されているので、屋根上設置物の荷重は前脚部３２から立面２２に伝わる。前補助面３２Ａが形成されていなくても、前脚部３２と後脚部３４との二箇所で屋根上設置物の荷重を固定部分２に伝えることができる一例である。
【実施例３】
【００１９】
本発明の第三実施例について、図１０、図１１に図示する。
これは、図１０、図１１に見られる通り、前述の第一実施例の後補助面３４Ａを第一実施例とは反対側に折り曲げて形成している例である。
設置物取り付け部分３を屋根に取り付けたときに金属製屋根瓦７の表面に載る後脚部３４が、金属製屋根瓦７の表面に傷を付けにくくするために、後補助面３４Ａが設けられている。
後脚部３４の下端が、内側に、つまり設置物取り付け面３１と向き合うように、折り曲げられて、金属製屋根瓦７の表面に沿うようにやや湾曲した後補助面３４Ａが形成されている。
他の構成は、第一実施例とまったく同じである。第一実施例は設置物取り付け部分３の後脚部３４の下端が外側に折り曲げられて、後補助面３４Ａが形成されていたが、第三実施例は後脚部３４の下端が内側に、つまり設置物取り付け面３１と向き合うように、折り曲げられて、後補助面３４Ａが形成されている例である。（それ以外は第一実施例と同じ構成であるため、構成の説明を繰り返し記載することは省く。）
このように後補助面３４Ａを形成しても、屋根上設置物取り付け金具１を屋根に設置し、屋根上設置物を取り付けたときに、設置物取り付け部分３の後脚部３４の後補助面３４Ａが、固定面２１に載るため、固定面２１で屋根上設置物の荷重を受けることができる。
【実施例４】
【００２０】
本発明の第四実施例について、図１２、図１３に図示する。
これは、図１２、図１３に見られる通り、前述の第三実施例の前補助面３２Ａを取り除いたもので、他の構成は、第三実施例とまったく同じである。第三実施例は設置物取り付け部分３に前補助面３２Ａを設けていたが、第四実施例はこの前補助面３２Ａを設けない例である。（前補助面３２Ａを除いた以外は第三実施例と同じ構成であるため、構成の説明を繰り返し記載することは省く。）
【実施例５】
【００２１】
本発明の第五実施例について、図１４、図１５に図示する。
これは、図１４、図１５に見られる通り、前述の第一実施例の固定面２１を後方に延ばした一例である。固定面２１の一部が桟木６に被さる形状（断面が下方に開口した略コの字形）になっており、固定面２１の上面の一部分は、さらに後方に延びた後、下方に折り曲げられている。このように、固定面２１が第一実施例の固定面２１よりも後方に延びるよう構成されている。
屋根上設置物取り付け金具１を屋根に設置したときに、設置物取り付け部分３の後脚部３４が、固定面２１に載る位置に形成されているため、固定面２１が後方に延びている分、設置物取り付け面３１も後方に延ばすことが出来、設置物取り付け面３１をより広く設定することができる。このため、屋根上設置物を取り付けるための固定用止着具を取り付ける貫通孔Ｈの位置を、第一実施例のものよりも後方に位置させることができる。（固定面２１および設置物取り付け面３１を後方に延ばした以外は、第一実施例とほぼ同じ構成であるため、構成の説明を繰り返し記載することは省く。）
設置物取り付け面３１を広く設定すれば、固定面２１を桟木６に固定するための止着具Ｓの真上に、屋根上設置物を取り付けるための固定用止着具を取り付ける貫通孔Ｈを設定することができる。固定面２１を桟木６に固定するための止着具Ｓの真上に、屋根上設置物を取り付けるための固定用止着具を取り付けることができるので、負圧がかかった際のビスや釘等の引き抜き荷重を小さくする上で、一層望ましい構成である。
図１５は、施工時、固定部分２の固定面２１の後端にある下がり片がバックアップ材Ｃに食い込んでいる図となっているが、バックアップ材Ｃの形状に手を加え、固定部分２の固定面２１の後端にある下がり片が位置する箇所を切り欠いたりしても良い。
【実施例６】
【００２２】
本発明の第六実施例について、図１６、図１７に図示する。
図１６、図１７に見られる通り、前述の第五実施例の前補助面３２Ａを取り除いたもので、他の構成は、第五実施例とまったく同じである。第五実施例は設置物取り付け部分３に前補助面３２Ａを設けていたが、第六実施例はこの前補助面３２Ａを設けない例である。（前補助面３２Ａを除いた以外は第五実施例と同じ構成であるため、構成の説明を繰り返し記載することは省く。）
【実施例７】
【００２３】
本発明の第七実施例について、図１８、図１９に図示する。
図１８、図１９に見られる通り、前述の第二実施例の設置物取り付け部分３と固定部分２とを回動可能に連結させた一例であり、他の構成は、第二実施例と同じである。
本実施例の設置物取り付け部分３と固定部分２とを回動可能に連結させた箇所について説明する。（それ以外は第二実施例と同じ構成であるため、構成の説明を繰り返し記載することは省く。）
設置物取り付け部分３の前脚部３２には連結片８が設けられており、固定部分２の立面２２にも連結片８が設けられている。それぞれの連結片８に設けられている穴に回動軸９が通されており、設置物取り付け部分３と固定部分２とが回動可能に連結されている。
図１８に見られるように、締め付け具４を締め付け部２３の先端の方に取り付けたとき、設置物取り付け部分３の後脚部３４を持ち上げておくことができる。
固定部分２の固定面２１を桟木６に止着具で固定し、固定面２１の上から金属製屋根瓦７を被せる。その後、設置物取り付け部分３の後脚部３４をおろし、後補助面３４Ａを金属製屋根瓦７に載せ、締め付け具４を締め付け部２３に締め付けていく。図１９のように、固定部分２の立面２２に設置物取り付け部分３の前脚部３２を固定することで、固定部分２に設置物取り付け部分３を固定する。
このように、予め設置物取り付け部分３と固定部分２とを回動可能に連結させておくと、施工性を上げることができるという利点がある。
【実施例８】
【００２４】
本発明の第八実施例について、図２０、図２１に図示する。
図２０、図２１に見られる通り、前述の第一実施例の設置物取り付け部分３の一部を設計変更したものであり、他の構成は、第一実施例とまったく同じである。（設置物取り付け部分３の一部を設計変更した以外は第一実施例と同じ構成であるため、構成の説明を繰り返し記載することは省く。）第一実施例の設置物取り付け部分３の設計変更した箇所について説明する。
本実施例の設置物取り付け部分３も、設置物取り付け面３１と、設置物取り付け面３１の前部分から下方に伸びる前脚部３２と、設置物取り付け面３１の後ろ部分から下方に伸びる後脚部３４とを有している。
【００２５】
第一実施例の設置物取り付け部分３は設置物取り付け面３１の前部分の一端から下方に伸びる前脚部３２が形成されていた。
本実施例の前脚部３２は設置物取り付け面３１の前部分の一端から下方に伸びているのではなく、設置物取り付け面３１の前部分から下方に伸びている。つまり、第一実施例と比べると、本実施例の設置物取り付け面３１は、前脚部３２よりもさらに前に伸びているのである。
後脚部３４についても同様で、本実施例の設置物取り付け面３１は、後脚部３４よりもさらに後ろに伸びている。
このように、本実施例の設置物取り付け部分３は、設置物取り付け面３１の前部分から下方に伸びる前脚部３２の一例として、設置物取り付け面３１が前脚部３２よりもさらに前に伸びている場合を示し、設置物取り付け面３１の後ろ部分から下方に伸びる後脚部３４の一例として、設置物取り付け面３１が後脚部３４よりもさらに後ろに伸びている場合を示している。この後脚部３４は固定部分２の固定面２１上に位置している。
例えば、設置物取り付け面３１の裏面に前脚部３２と後脚部３４とを溶接等で取り付けたりすれば、このような形状になる。
【００２６】
また、第一実施例と比べると、本実施例には、前補助面３２Ａと後補助面３４Ａとが無い。
【００２７】
本実施例を用いて屋根上設置物を取り付けた場合、前脚部３２が固定部分２の立面２２に固定されているので、屋根上設置物の荷重は前脚部３２から立面２２に伝わる。後脚部３４は固定部分２の固定面２１上に位置し、屋根上設置物を取り付ける前は、固定面２１と後脚部３４の間に隙間が存在しているが、設置物取り付け面３１に屋根上設置物を取り付けたとき、その荷重によって後脚部３４が金属製屋根瓦７を介して固定面２１に載り、屋根上設置物の荷重は後脚部３４から固定面２１に伝わる。このように、前脚部３２と後脚部３４との二箇所で屋根上設置物の荷重を固定部分２に伝えることができる。
【００２８】
本実施例も他の実施例と同様に、固定部分２の固定面２１が、設置物取り付け部分３の設置物取り付け面３１の下方に、設置物取り付け面３１と向かい合っているため、固定面２１を桟木に固定するための止着具Ｓのほぼ真上に、屋根上設置物を取り付けるための固定用止着具を貫通孔を用いて取り付けることができる。
このため、屋根上設置物取り付け金具１に屋根上設置物の荷重がかかる位置が、屋根上設置物取り付け金具１を下地に止着具で固定する位置のほぼ真上に来るように設定することができる。こうして負圧がかかった際のビスや釘等の引き抜き荷重をきわめて小さくすることができるのである。
【図面の簡単な説明】
【００２９】
【図１】本発明第一実施例の屋根上設置物取り付け金具１の分解斜視図である。
【図２】本発明第一実施例の屋根上設置物取り付け金具１の斜視図である。
【図３】本発明第一実施例の使用状態の説明図である。
【図４】本発明第一実施例の使用状態の説明図である。
【図５】本発明第一実施例の使用状態の説明図である。
【図６】本発明第一実施例の使用状態の説明図である。
【図７】本発明第一実施例の使用状態の説明図である。
【図８】本発明第二実施例の屋根上設置物取り付け金具１の斜視図である。
【図９】本発明第二実施例の使用状態を表す図である。
【図１０】本発明第三実施例の屋根上設置物取り付け金具１の斜視図である。
【図１１】本発明第三実施例の使用状態を表す図である。
【図１２】本発明第四実施例の屋根上設置物取り付け金具１の斜視図である。
【図１３】本発明第四実施例の使用状態を表す図である。
【図１４】本発明第五実施例の屋根上設置物取り付け金具１の斜視図である。
【図１５】本発明第五実施例の使用状態を表す図である。
【図１６】本発明第六実施例の屋根上設置物取り付け金具１の斜視図である。
【図１７】本発明第六実施例の使用状態を表す図である。
【図１８】本発明第七実施例の屋根上設置物取り付け金具１の使用状態の説明図である。
【図１９】本発明第七実施例の使用状態を表す図である。
【図２０】本発明第八実施例の屋根上設置物取り付け金具１の斜視図である。
【図２１】本発明第八実施例の使用状態を表す図である。
【図２２】従来の技術を表す図である。
【図２３】従来の技術を表す図である。
【図２４】従来の技術を表す図である。
【図２５】従来の技術を表す図である。
【符号の説明】
【００３０】
１       屋根上設置物取り付け金具
２       固定部分
２１     固定面
２２     立面
２３     締め付け部
３       設置物取り付け部分
３１     設置物取り付け面
３２     前脚部
３２Ａ   前補助面
３４     後脚部
３４Ａ   後補助面
４       締め付け具
５       下地材
６       桟木
７       金属製屋根瓦
８       連結片
９       回動軸
Ａ       縦桟木
Ｂ       固定用止着具
Ｃ       バックアップ材
Ｄ       防水紙
Ｅ       設置物
Ｇ       架台固定部
Ｈ       貫通孔
Ｊ       取り付け部
Ｒ       連結金具
Ｓ       止着具
Ｔ 連結孔
Ｕ 固定孔
【図１】
0004555251.tif 000002
【図２】
0004555251.tif 000003
【図３】
0004555251.tif 000004
【図４】
0004555251.tif 000005
【図５】
0004555251.tif 000006
【図６】
0004555251.tif 000007
【図７】
0004555251.tif 000008
【図８】
0004555251.tif 000009
【図９】
0004555251.tif 000010
【図１０】
0004555251.tif 000011
【図１１】
0004555251.tif 000012
【図１２】
0004555251.tif 000013
【図１３】
0004555251.tif 000014
【図１４】
0004555251.tif 000015
【図１５】
0004555251.tif 000016
【図１６】
0004555251.tif 000017
【図１７】
0004555251.tif 000018
【図１８】
0004555251.tif 000019
【図１９】
0004555251.tif 000020
【図２０】
0004555251.tif 000021
【図２１】
0004555251.tif 000022
【図２２】
0004555251.tif 000023
【図２３】
0004555251.tif 000024
【図２４】
0004555251.tif 000025
【図２５】
0004555251.tif 000026